(57)【要約】【課題】ネットワーク接続されていない一の放送受信装置と他の放送受信装置の間で視聴予約情報及び／又は録画予約情報の共有を容易にする放送受信装置及び操作機器を提供すること。【解決手段】放送信号を受信する放送受信部と、指定された放送番組の視聴予約情報及び／又は録画予約情報を記憶する予約情報記憶部と、操作手段の要求に応じて前記予約情報記憶部に記憶された視聴予約情報及び／又は録画予約情報を出力する予約情報送信制御部と、取得した他の放送受信装置の視聴予約情報及び／又は録画予約情報に基づいて視聴予約及び／又は録画予約を行う予約設定部と、を備えることとする。【選択図】図１
2012244223.tif 000002
【特許請求の範囲】
【請求項１】
放送信号を受信する放送受信部と、
指定された放送番組の視聴予約情報及び／又は録画予約情報を記憶する予約情報記憶部と、
操作手段の要求に応じて前記予約情報記憶部に記憶された視聴予約情報及び／又は録画予約情報を出力する予約情報送信制御部と、
取得した他の放送受信装置の視聴予約情報及び／又は録画予約情報に基づいて視聴予約及び／又は録画予約を行う予約設定部と、
を備えることを特徴とする放送受信装置。
【請求項２】
前記放送受信装置は送信部を有する通信部を備え、前記予約情報送信制御部は前記送信部を介して無線通信方式で前記予約情報記憶部に記憶された視聴予約情報及び／又は録画予約情報を送信することを特徴とする請求項１に記載の放送受信装置。
【請求項３】
前記放送受信装置は外部メモリを着脱可能な外部メモリ接続部を備え、前記予約情報送信制御部は前記外部メモリ接続部に挿入された外部メモリに前記予約情報記憶部に記憶された視聴予約情報及び／又は録画予約情報を出力することを特徴とする請求項１又は請求項２に記載の放送受信装置。
【請求項４】
複数の放送受信装置を遠隔操作可能な操作機器であって、
放送受信装置に対して該放送受信装置の視聴予約情報及び／又は録画予約情報の出力を要求する予約情報要求部と、
前記放送受信装置から視聴予約情報及び／又は録画予約情報を受信する受信部を有する通信部と、
前記通信部を介して取得した視聴予約情報及び／又は録画予約情報を記憶する記憶部と、
前記記憶部に記憶された視聴予約情報及び／又は録画予約情報を出力する予約情報送信制御部と、
を備えることを特徴とする操作機器。
【請求項５】
通信部はさらに送信部を有し、前記予約情報送信制御部は前記送信部を介して無線通信方式で前記記憶部に記憶された視聴予約情報及び／又は録画予約情報を送信することを特徴とする請求項４に記載の操作機器。
【請求項６】
前記操作機器は外部メモリを着脱可能な外部メモリ接続部を備え、前記予約情報送信制御部は前記外部メモリ接続部に挿入された外部メモリに前記予約情報記憶部に記憶された視聴予約情報及び／又は録画予約情報を出力することを特徴とする請求項４又は請求項５に記載の操作機器。
【発明の詳細な説明】
【技術分野】
【０００１】
本発明は視聴予約情報及び／又は録画予約情報を共有する放送受信装置及び操作機器に関するものである。
【背景技術】
【０００２】
地上アナログ放送から地上デジタル放送への移行（地デジ化）に伴って需要者はデジタルチューナを購入する等の対応を行う必要がある。その際、デジタルチューナを購入する代わりにデジタルチューナが内蔵されたレコーダを購入することも考えられる。
【０００３】
近年では一般家庭においてテレビは一家に一台ではなく一人に一台になりつつあり、これに伴いデジタルチューナが内蔵されたレコーダを複数台（場合によっては家族の人数分）購入することも多くなるものと考えられる。
【０００４】
デジタルチューナが内蔵されたレコーダは一般的に録画予約を行うことができ、ユーザは所望の番組について予め録画するように設定することができる。そして上述したように一家に複数台のレコーダがある場合には一のレコーダで設定されている録画予約の全部又は一部と同様の予約録画を他のレコーダでも行いたいと考えることがあるものと予想される。一方で、録画予約を行いたい番組の数が多量に存在する場合には一つずつ録画予約を行うのは手間である。
【０００５】
特許文献１に開示されている記録システムはネットワーク接続されている複数の記録装置において、ユーザからの記録予約情報をメモリに保存すると共に、当該記録予約情報が受信選局可能な放送チャンネルについてのものか否かを判定し、受信選局可能な放送チャンネルについてのものではないときには当該記録予約情報をネットワークに送出することとしている。これにより、一の記録装置では記録予約ができないときでも一の記録装置にネットワーク接続されている他の記録装置が記録予約可能なものであれば記録予約を行うことができる。
【先行技術文献】
【特許文献】
【０００６】
【特許文献１】特開２００６−５４６４２号公報
【発明の概要】
【発明が解決しようとする課題】
【０００７】
上記特許文献１に記載されている記録システムは、自機の機能では受信できない放送信号により提供される放送番組についての録画予約が行われた場合に記録装置に記録予約の代行をさせるものであり、自機に設定されている予約情報を任意のタイミングで他の記録装置に伝えることができるものではない。また、複数台の記録装置をネットワークに接続して各記録装置を有機的に結びつけることによって実現可能なものでありってネットワークに接続していない記録装置に対して記録予約情報を提供することができない。
【０００８】
本発明は、上述した問題点に鑑み、ネットワーク接続されていない一の放送受信装置と他の放送受信装置の間で視聴予約情報及び／又は録画予約情報の共有を容易にする放送受信装置及び操作機器を提供することを目的とする。
【課題を解決するための手段】
【０００９】
上記目的を達成するために本発明の放送受信装置は、放送信号を受信する放送受信部と、指定された放送番組の視聴予約情報及び／又は録画予約情報を記憶する予約情報記憶部と、操作手段の要求に応じて前記予約情報記憶部に記憶された視聴予約情報及び／又は録画予約情報を出力する予約情報送信制御部と、取得した他の放送受信装置の視聴予約情報及び／又は録画予約情報に基づいて視聴予約及び／又は録画予約を行う予約設定部と、を備えることを特徴としている。
【００１０】
この構成によると、自機に記憶された視聴予約情報及び／又は録画予約情報を操作手段（放送受信機の操作部やリモコン等の操作機器）の要求に応じて出力し、また、他機（他の放送受信装置）の視聴予約情報及び／又は録画予約情報を取得するので自機と他機（他の放送受信装置）が視聴予約情報及び／又は録画予約情報を共有することができる。
【００１１】
また上記構成の放送受信装置において、前記放送受信装置は送信部を有する通信部を備え、前記予約情報送信制御部は前記送信部を介して無線通信方式で前記予約情報記憶部に記憶された視聴予約情報及び／又は録画予約情報を送信することが望ましい。
【００１２】
この構成によると、無線通信方式でリモコン等の操作機器や他の放送受信装置に視聴予約情報及び／又は録画予約情報を送信（転送）するので、視聴予約情報及び／又は録画予約情報の共有が容易となる。
【００１３】
また上記構成の放送受信装置において、前記放送受信装置は外部メモリを着脱可能な外部メモリ接続部を備え、前記予約情報送信制御部は前記外部メモリ接続部に挿入された外部メモリに前記予約情報記憶部に記憶された視聴予約情報及び／又は録画予約情報を出力することが望ましい。
【００１４】
この構成によると、放送受信装置に着脱可能な外部メモリに視聴予約情報及び／又は録画予約情報を出力するので、視聴予約情報及び／又は録画予約情報の共有が容易となる。
【００１５】
上記目的を達成するために本発明の操作機器は、複数の放送受信装置を遠隔操作可能な操作機器であって、放送受信装置に対して該放送受信装置の視聴予約情報及び／又は録画予約情報の出力を要求する予約情報要求部と、前記放送受信装置から視聴予約情報及び／又は録画予約情報を受信する受信部を有する通信部と、前記通信部を介して取得した視聴予約情報及び／又は録画予約情報を記憶する記憶部と、前記記憶部に記憶された視聴予約情報及び／又は録画予約情報を出力する予約情報送信制御部と、を備えることを特徴としている。
【００１６】
この構成によると、一の放送受信装置から取得した視聴予約情報及び／又は録画予約情報を他の放送受信装置に転送（送信）するので、複数の放送受信装置の間で視聴予約情報及び／又は録画予約情報の共有が容易となる。
【００１７】
また上記構成の操作機器において、通信部はさらに送信部を有し、前記予約情報送信制御部は前記送信部を介して無線通信方式で前記記憶部に記憶された視聴予約情報及び／又は録画予約情報を送信することが望ましい。
【００１８】
この構成によると、無線通信方式で放送受信装置に視聴予約情報及び／又は録画予約情報を送信（転送）するので、視聴予約情報及び／又は録画予約情報の共有が容易となる。
【００１９】
また上記構成の操作機器において、通信部はさらに送信部を有し、前記予約情報送信制御部は前記送信部を介して無線通信方式で前記記憶部に記憶された視聴予約情報及び／又は録画予約情報を送信することが望ましい。
【００２０】
この構成によると、操作機器に着脱可能な外部メモリに視聴予約情報及び／又は録画予約情報を出力するので、視聴予約情報及び／又は録画予約情報の共有が容易となる。
【発明の効果】
【００２１】
本発明によれば、ネットワーク接続されていない一の放送受信装置と他の放送受信装置の間で視聴予約情報及び／又は録画予約情報の共有を容易にすることができる。
【図面の簡単な説明】
【００２２】
【図１】は、本発明の放送受信装置であるレコーダの構成を示すブロック図である。
【図２】は、本発明の操作機器であるリモコンの構成を示すブロック図である。
【図３】は、本発明の放送受信装置であるレコーダの制御部が予約情報を出力するときに実行する処理の流れを示すフローチャートである。
【図４】は、本発明の放送受信装置であるレコーダの制御部が予約情報を受信するときに実行する処理の流れを示すフローチャートである。
【図５】は、本発明の操作機器であるリモコンの制御部が実行する処理の流れを示すフローチャートである。
【図６】は、本発明の放送受信装置の表示部に表示される予約情報の一例を示す図である。
【発明を実施するための形態】
【００２３】
以下に本発明の実施形態について図面を参照して説明する。但し、以下に示す実施形態は、本発明の技術的思想を具体化するために本発明の放送受信装置として録画予約機能を有するレコーダを、また、操作機器としてリモコンを示すものであって、本発明をこのレコーダ及びリモコンに特定することを意図するものではなく、特許請求の範囲に含まれるその他の実施形態の装置にも等しく適応し得るものである。例えば放送受信装置は視聴予約機能のみを有する表示装置であってもよく、また、操作機器は携帯電話等であってもよい。
【００２４】
[レコーダ]
図１は本発明のレコーダ１００の構成を示すブロック図である。レコーダ１００は制御部１１０と、操作部１２０と、放送受信部１３０と、記憶部１４０と、通信部１５０と、外部メモリ接続部１６０を備える。制御部１１０はレコーダ１００全体を総括的に制御する制御手段であり、予約情報送信制御部１１１と予約設定部１１２を備える。予約情報送信制御部１１１は後述する通信部１５０を介して予約情報記憶部１４１に記憶された録画予約情報を送信し、或いは、後述する外部メモリ接続部１６０に挿入された外部メモリに録画予約情報を出力する。予約設定部１１２は視聴予約及び／又は録画予約の設定を行うものであり、後述する操作部１２０及び／又は後述するリモコン２００等の操作機器などの操作手段の要求に応じて予約設定を行う。
【００２５】
操作部１２０はレコーダ１００の機能を利用するための操作手段である。なお、操作部１２０としては、レコーダ１００本体に各種のキーやボタンを設けてもよいし、図示しない表示部にタッチパネル機能を付加してもよい。
【００２６】
放送受信部１３０はアンテナ３０とアンテナ用端子３１とチューナ１３１を備える。放送受信部１３０はアンテナ用端子３１を介してアンテナ３０に接続されて放送信号の受信、周波数変換、増幅、復調等を行う。チューナ１３１は中間周波信号の増幅及び検波を行うことによりＴＳの取得を行う。なおＴＳとは、複数の番組の音声ＰＥＳ（Ｐａｃｋｅｔｉｚｅｄ Ｅｌｅｍｅｎｔａｒｙ Ｓｔｒｅａｍ）、画像ＰＥＳ、及び付加情報を固定長のＴＳパケットに分割してつなぎ合わせたものである。ここで放送信号には１又は複数の番組ストリーム及び将来放送される番組ストリームに対応する番組情報が含まれている。番組ストリームは動画像、音声やデータなどを有する。番組情報には例えば各番組の「放送日」、「開始時間」、「継続時間」、「終了時間」、「放送局（ＣＨ）」、「番組名（予約名）」等のデータが含まれている。
【００２７】
記憶部１４０は予約情報記憶部１４１と録画番組記憶部１４２を備える。予約情報記憶部１４１はユーザにより録画予約された番組の録画予約情報（録画予約された番組を特定するための識別子等）を記憶する。なお、ユーザは例えばＥＰＧ（電子番組ガイド）を参照して、録画したい番組の録画予約を行うことができる。録画予約情報は、例えば、録画予約された番組に対応する放送波の周波数や、録画予約された番組を特定可能な識別子からなる。録画番組記憶部１４２は録画予約された番組の内容と内容を示す情報（番組名、放送日等）を対応付けて記憶する。
【００２８】
通信部１５０はレコーダ１００を操作可能なリモコン２００等の操作機器から送信される情報を受信する受信部１５１とリモコン２００等の操作機器に情報を送信する送信部１５２を備える。情報の送受信は例えば赤外線センサなどの無線通信方式で行われる。
【００２９】
外部メモリ接続部１６０は外部メモリインタフェースであり、外部メモリが着脱可能に装着（挿入）される。外部メモリとしては例えば例えば、コンパクトフラッシュ（登録商標）、スマートメディア（登録商標）、メモリスティック（登録商標）、ＳＤカード（登録商標）等が挙げられる。
【００３０】
図２は本発明のリモコン２００の構成を示すブロック図である。リモコン２００は放送受信装置を操作する操作手段としての役割を果たすものである。リモコン２００は制御部２１０と、記憶部２３０と、通信部２４０と、外部メモリ接続部２５０を備える。
【００３１】
制御部２１０はリモコン２００全体を総括的に制御する制御手段であり、予約情報要求部２１１と予約情報送信制御部２１２を備える。予約情報要求部２１１は後述する通信部２４０を介してレコーダ１００等の放送受信装置に対して該放送受信装置が記憶している録画予約情報及び／又は視聴予約情報の送信を要求する。予約情報送信制御部２１２は後述する通信部２４０を介して記憶部２３０に記憶された録画予約情報及び／又は視聴予約情報を送信し、或いは記憶部２３０が内蔵メモリであって別途外部メモリ接続部（図示せず）を備える場合には当該外部メモリ接続部に挿入された外部メモリに記憶部２３０に記憶された録画予約情報及び／又は視聴予約情報を出力する。
【００３２】
記憶部２３０は放送受信装置から取得した録画予約情報及び／又は視聴予約情報を記憶する。なお、記憶部２３０はリモコン２００に内蔵されている内蔵メモリであっても構わないし、リモコン２００に着脱可能な外部メモリであっても構わない。また、内蔵メモリ及び外部メモリを共に備えるものであってもよい。
【００３３】
通信部２４０はリモコン２００が操作可能な放送受信装置から送信される情報を受信する受信部２４１と放送受信装置に情報を送信する送信部２４２を備える。情報の送受信は例えば赤外線センサなどの無線方式で行われる。
【００３４】
本発明のレコーダ１００は図３に示す処理を行う。図３は本発明のレコーダ１００の制御部１１０が予約情報を出力するときに実行する処理の流れを示すフローチャートである。
【００３５】
ステップＳ０１において制御部１１０は操作手段（操作部１２０又はリモコン等の操作機器）によって予約情報記憶部１４１に記憶されている予約情報（録画予約情報）の表示が要求されたか否かを判定する。予約情報の表示が要求されたとき（ステップＳ０１のＹ）はステップＳ０２に進み図６に示すようにレコーダ１１０と接続されている表示装置（図示せず）の表示部（表示画面）に予約情報の一覧を表示し、予約情報の表示が要求されていないときは（ステップＳ０１のＮ）ステップＳ０１に戻る。
【００３６】
ステップＳ０３において制御部１１０は予約情報の転送が要求されたか否かを判定する。予約情報の転送が要求されたときは（ステップＳ０３のＹ）ステップＳ０４に進み、予約情報の転送が要求されていないときは（ステップＳ０３のＮ）はステップＳ０１に戻る。なお、予約情報はその一部のみについて転送の要求を行うことができ、予約情報の一部のみについて転送を要求されたときには当該予約情報の一部のみが転送される。また、本実施形態では予約情報の転送を要求されていないときにステップＳ０１に戻ることとしているが、別途転送キャンセルの指示（転送を行う必要がない旨の指示）を受けるまで予約情報を表示する（ステップＳ０２を維持する）ものであってもよい。
【００３７】
ステップＳ０３において制御部１１０の予約情報転送制御部１１１は予約情報を出力する。予約情報の出力は外部メモリ接続部１６０に挿入された外部メモリに出力するものであってもよく、また、送信部１５２を介してレコーダ１００を操作するリモコン等の操作機器や他の放送受信装置に転送（送信）するものであってもよい。
【００３８】
本発明のレコーダ１００は図４に示す処理も行う。図４は本発明のレコーダ１００の制御部１１０が予約情報を受信するときに実行する処理の流れを示すフローチャートである。
【００３９】
ステップＳ１１において制御部１１０は予約情報を取得したか否かを判定する。予約情報を取得したときはステップＳ１２に進みレコーダ１１０と接続されている図示しない表示装置の表示部（表示画面）に取得した予約情報を表示し、予約情報を取得していないときは（ステップＳ１１のＮ）ステップＳ１１に戻る。制御部１１０は外部メモリ接続部１６０に挿入された外部メモリから予約情報を取得することとしてもよいし、送信部１５２を介してレコーダ１００を操作するリモコン２００等の操作機器や他の放送受信装置から予約情報を取得することとしてもよい。
【００４０】
なお、本実施形態においては予約情報を取得したときにレコーダ１１０と接続されている図示しない表示装置の表示部（表示画面）に取得した予約情報を表示することとしているが、操作部１２０又はリモコン２００等の操作機器から表示指示を受けるまで予約情報を表示しないこととしてもよい。
【００４１】
ステップＳ１３において制御部１１０は取得した予約情報に基づいて予約指示を受けたか否かを判定する。取得した予約情報の少なくとも一部について予約指示を受けたときは（ステップＳ１３のＹ）ステップＳ１４に進み、取得した予約情報の少なくとも一部について予約指示を受けていないときは（ステップＳ１３のＮ）ステップＳ１１に戻る。なお、本実施形態では予約指示を受けていないときにステップＳ１１に戻ることとしているが、別途予約キャンセルの指示（予約を行う必要がない旨の指示）を受けるまで予約情報を表示する（ステップＳ１２を維持する）ものであってもよい。
【００４２】
ステップＳ１４において制御部１１０の予約設定部１１２は予約指示を受けた放送番組について予約（録画予約）の設定を行う。録画予約の設定が終了したときにはどの放送番組について録画予約を完了したかが視認可能となるように表示装置の表示部（表示画面）に表示することとしてもよい。
【００４３】
[リモコン]
本発明のリモコン２００の実施形態について図５を用いて説明する。図５は本発明のリモコン２００の制御部２１０が実行する処理の流れを示すフローチャートである。なお、本実施形態においてリモコン２００は複数種類（機種）のレコーダ等の放送受信装置を操作可能なリモコンであるものとする。
【００４４】
ステップＳ２１において制御部２１０はレコーダ１００に対して（レコーダ１００の制御部１１０に対して）レコーダ１００の予約情報記憶部１４１に記憶されている予約情報を表示するように指示を行う。そして予約情報が表示されたとき（ステップＳ２２のＹ）にはステップＳ２３に進む。
【００４５】
ステップＳ２３において制御部２１０は転送要求を行う予約情報を選択し（ユーザが転送要求を行う予約情報を選択し）、ステップＳ２４において制御部２１０の予約情報要求部２１１は選択された予約情報を転送するようにレコーダ１００に対して指示を行う。
【００４６】
ステップＳ２５において制御部２１０は予約情報を取得したか否かを判定する。予約情報を取得したとき（ステップＳ２５のＹ）はステップＳ２６に進んで取得した予約情報を記憶部２３０に記憶し、予約情報を取得していないときは（ステップＳ２５のＮ）ステップＳ２１に戻る。なお、本実施形態では予約情報を取得していないときにステップＳ２１に戻ることとしているが、例えばステップＳ２４に戻り再び転送要求を行うこととしてもよい。
【００４７】
ステップＳ２７において制御部２１０はステップＳ２５において取得した予約情報が要求した予約情報と一致するか否かを判定する。取得した予約情報と要求した予約情報が一致するとき（ステップＳ２７のＹ）はステップＳ２８に進み、取得した予約情報と要求した予約情報が一致しないとき（ステップＳ２７のＮ）はステップＳ２１に戻る。なお、本実施形態では取得した予約情報と要求した予約情報が一致しないときにステップＳ２１に戻ることとしているが、例えばステップＳ２４に戻り再び転送要求を行うこととしてもよい。また、取得した予約情報と要求した予約情報が一致するか否かを判定が不要であるときは本ステップを設けないこととしてもよい。
【００４８】
ステップＳ２８において制御部２１０の予約情報送信制御部２１２は取得した予約情報を出力する。予約情報の出力は外部メモリ接続部（図示せず）に挿入された外部メモリに出力するものであってもよく、また、通信部２４０の送信部２４２を介して放送受信装置に転送するものであってもよい。
【００４９】
ステップＳ２９において制御部２１０は放送受信装置に対して予約設定の指示を行う。予約設定の指示は制御部２１０の予約情報送信制御部２１２が出力した予約情報に基づいて行われ、該予約情報の少なくとも一部について予約の設定を行うよう指示を行う。
【産業上の利用可能性】
【００５０】
本発明は、視聴予約情報及び／又は録画予約情報を共有する放送受信装置及び操作機器に利用できる。
【符号の説明】
【００５１】
１００  レコーダ
２００  リモコン
１１０，２１０  制御部
１３０  放送受信部
１４０，２３０  記憶部
１５０，２４０  通信部
【図１】
2012244223.tif 000003
【図２】
2012244223.tif 000004
【図３】
2012244223.tif 000005
【図４】
2012244223.tif 000006
【図５】
2012244223.tif 000007
【図６】
2012244223.tif 000008